(57)【要約】【課題】電極を完全な防水の隠蔽状態にすることにより、感電の事故を防止することができ、漏電による電圧の降下の発生がない静電散布ノズルを提供する。【解決手段】ノズル本体１２の噴霧口１２ａ近傍に電極１４を配置し、この電極１４からの高電圧によってアース電位の噴霧流体ｂを帯電させるようにした静電散布ノズルにおいて、前記ノズル本体１２の外側を覆う非導電性カバー１３が、ノズル本体１２側に固定する筒状のカバー本体１８と、このカバー本体１８の先端側に外嵌螺合した筒状の先端キャップ１９とからなり、円筒状に形成した電極１４をカバー本体１８と先端キャップ１９の嵌合面間に収め、このカバー本体１８と先端キャップ１９の嵌合面間で電極１４を挟む両側の位置に防水用のシール２０が組み込まれている。【選択図】図１
2006095357.tif 000002
【特許請求の範囲】
【請求項１】
ノズル本体の噴霧口近傍に電極を配置し、この電極からの高電圧によってアース電位の噴霧流体を帯電させるようにした静電散布ノズルにおいて、前記ノズル本体の外側を覆う非導電性カバーの厚み内に電極を隠蔽して防水状に収めたことを特徴とする静電散布ノズル。
【請求項２】
上記カバーが、ノズル本体側に固定する筒状のカバー本体と、このカバー本体の先端側に外嵌螺合した筒状の先端キャップとからなり、円筒状に形成した上記電極をカバー本体と先端キャップの嵌合面間に収め、このカバー本体と先端キャップの嵌合面間で電極を挟む両側の位置に防水用のシールを組み込んだことを特徴とする請求項１に記載の静電散布ノズル。
【請求項３】
上記カバーが合成樹脂を用いて筒状に形成され、上記電極をこのカバー内にモールド成形によって埋設したことを特徴とする請求項１に記載の静電散布ノズル。
【発明の詳細な説明】
【技術分野】
【０００１】
この発明は、農薬等の噴霧に用いる静電散布ノズルに関する。
【背景技術】
【０００２】
農薬等の噴霧において、ノズル本体の噴霧口近傍に電極を配置し、この電極に高電圧をかけることによってアース電位の噴霧薬液に電荷をかけ、作物への付着率を向上させるようにした静電散布ノズルが使用されている。
【０００３】
従来の静電散布ノズルａは、図２に示すように、ノズル本体１の噴霧口１ａの外側に円筒状の非導電性カバー２を取付け、このカバー２をノズル本体１側に固定する筒状のカバー本体３と、このカバー本体３の先端側に外嵌螺合した筒状の先端キャップ４とで形成し、円筒状の電極５を噴霧口１ａの前方の周囲に位置するようカバー本体３の内周面側に配置し、この電極５をカバー本体３に対する先端キャップ４の螺締によって固定し、前記電極５に高電圧を供給する電線６を接続した構造になっている。
【０００４】
この静電散布ノズルａは、ノズル本体１の噴霧口１ａから薬液を噴霧するとき、電極５に電線６を介して外部から高電圧をかけることによってアース電位の噴霧薬液ｂに電荷をかけ、これにより、帯電した薬液ｂの作物への付着率を向上させることができる。
【発明の開示】
【発明が解決しようとする課題】
【０００５】
ところで、上記した従来の静電散布ノズルａは、カバー２の内周面において電極５が露出し、人体に触れる状態になっているため、薬液ｂの噴霧中に人体が電極５に触れると感電する恐れがある。
【０００６】
また、電極５がカバー２の内周面において露出しているので、電極５が噴霧薬液ｂで濡れることにより、電極５に直接触れなくても水滴に触れることによって感電の恐れがあり、更に、薬液ｂと電極５間で漏電して電圧が降下し、静電の効果がなくなる現象が発生するという問題がある。
【０００７】
そこで、この発明の課題は、電極を完全な防水の隠蔽状態にすることにより、感電の事故を防止することができると共に、漏電による電圧の降下の発生がない静電散布ノズルを提供することにある。
【課題を解決するための手段】
【０００８】
上記のような課題を解決するため、請求項１の発明は、ノズル本体の噴霧口近傍に電極を配置し、この電極からの高電圧によってアース電位の噴霧流体を帯電させるようにした静電散布ノズルにおいて、前記ノズル本体の外側を覆う非導電性カバーの厚み内に電極を隠蔽して防水状に収めた構成を採用したものである。
【０００９】
請求項２の発明は、請求項１の発明において、上記カバーが、ノズル本体側に固定する筒状のカバー本体と、このカバー本体の先端側に外嵌螺合した筒状の先端キャップとからなり、円筒状に形成した上記電極をカバー本体と先端キャップの嵌合面間に収め、このカバー本体と先端キャップの嵌合面間で電極を挟む両側の位置に防水用のシールを組み込んだ構成を採用したものである。
【００１０】
請求項３の発明は、請求項１の発明において、上記カバーが合成樹脂を用いて筒状に形成され、上記電極をこのカバー内にモールド成形によって埋設した構成を採用したものである。
【００１１】
ここで、カバー内に設けた電極には高電圧を供給する電線が接続され、この電線のカバーから外部に引出される部分は、防水プラグによって止水されている。
【発明の効果】
【００１２】
この発明によると、電極をノズル本体の外側を覆う非導電性カバーの厚み内に隠蔽して防水状に収めたので、電極の絶縁状態の維持と外部への露出防止により、人体がカバーに触れたり水滴に触れても感電の危険性はなくなる。
【００１３】
また、電極は防水されているので電気絶縁状態となり、薬液と電極間で漏電して電圧が降下するようなことがなく、確実に静電の効果を維持することができる。
【発明を実施するための最良の形態】
【００１４】
以下、この発明の実施の形態を添付図面の図１（ａ）と（ｂ）に基づいて説明する。
【００１５】
図示のように、この発明の静電散布ノズルＡは、薬液タンクと接続した散布管１１の先端に装着して薬液ｂを噴霧するノズル本体１２に、噴霧口１２ａの外周から前方の外側を覆う非導電性のカバー１３を取付け、このカバー１３の厚み内に、噴霧口１２ａの前部で周囲に位置する電極１４を隠蔽して防水状に収め、電極１４には高電圧を供給する電線１５が接続され、この電線１５のカバー１３から外部に引出される部分は、防水プラグ１６によって止水されている。
【００１６】
図１（ａ）に示す第１の実施の形態は、カバー１３が、ノズル本体１２側に外嵌してビス１７等で固定する筒状のカバー本体１８と、このカバー本体１８の先端側に外嵌螺合した筒状の先端キャップ１９とからなり、これらカバー本体１８と先端キャップ１９は材料に合成樹脂を用い、円筒状に形成した電極１４をカバー本体１８と先端キャップ１９の嵌合面間に収め、このカバー本体１８と先端キャップ１９の嵌合面間で電極１４を挟む両側の位置にＯリング等の防水用のシール２０を組み込み、電極１４を絶縁と防水状態に隠蔽した構造になっている。
【００１７】
上記カバー本体１８には、電極１４に接続して高電圧を供給する電線１５の挿入孔２１が設けられ、この電線１５のカバー本体１８から外部に引出される部分は、防水プラグ１６によって止水されている。
【００１８】
図１（ｂ）に示す第２の実施の形態は、カバー１３が合成樹脂を用いて筒状に形成され、上記電極１４とこれに接続した電線１５をこのカバー１３内にモールド成形によって埋設し、電線１５のカバー１３から外部に引出される部分を防水プラグ１６によって止水し、電極１４を絶縁と防水状態に隠蔽した構造になっている。
【００１９】
この発明の静電散布ノズルＡは、上記のような構成であり、散布管１１の先端に装着した状態で薬液ｂを散布するとき、電極１４に高電圧をかけることによってアース電位の噴霧薬液ｂに電荷をかけ、薬液ｂの作物への付着率を向上させるものであり、電極１４が絶縁と防水状態に隠蔽されているので、人体がカバー１３に触れたり水滴に触れても感電の危険性はなくなる。
【００２０】
また、電極１４を防水状態とすることにより、電極１４が噴霧薬液ｂで濡れることがなく、薬液ｂと電極１４間の漏電で電圧が降下することがないので、薬液噴霧時の静電効果を維持することができる。
【図面の簡単な説明】
【００２１】
【図１】（ａ）は第１の実施の形態の静電散布ノズルを示す縦断正面図、（ｂ）は第２の実施の形態の静電散布ノズルを示す縦断正面図
【図２】従来の静電散布ノズルを示す縦断正面図
【符号の説明】
【００２２】
Ａ        静電散布ノズル
１１      散布管
１２      ノズル本体
１２ａ    噴霧口
１３      カバー
１４      電極
１５      電線
１６      防水プラグ
１７      ビス
１８      カバー本体
１９      先端キャップ
２０      防水用のシール
【図１】
2006095357.tif 000003
【図２】
2006095357.tif 000004